(57)【要約】【課題】断熱材を用いることなく熱源から排気された排ガスからの放熱を遮ることができるカバー部材を提供することを目的とする。【解決手段】エンジン１１０から排出された排ガスを導通できるエキマニ配管１２２の外周を囲繞するように固定される外層部材２０と、外層部材２０とエキマニ配管１２２との間に設けられるコルゲート成形材３０とで構成され、外層部材２０とコルゲート成形材３０の間、及び、エキマニ配管１２２とコルゲート成形材３０との間には、それぞれ閉じられた閉鎖空間Ｖが形成されるカバー部材１。【選択図】図１
2018178765.tif 000002
【特許請求の範囲】
【請求項１】
熱源の外周を覆うように固定される外層部材と、
前記外層部材と前記熱源との間に設けられる内層部材とで構成され、
前記外層部材と前記内層部材の間、及び、前記熱源と前記内層部材との間には、それぞれ閉じられた閉鎖空間が形成されるように構成された
カバー部材。
【請求項２】
前記外層部材は、
前記熱源の全周を囲繞する構成とした
請求項１に記載のカバー部材。
【請求項３】
前記外層部材と前記熱源とが、振動を吸収可能な緩衝部材を介してと接された
請求項１又は請求項２に記載のカバー部材。
【請求項４】
前記緩衝部材が、断熱性を有する
請求項３に記載のカバー部材。
【請求項５】
前記内層部材は、
凹凸形状で形成された金属板で構成された
請求項１乃至請求項４のうちのいずれかに記載のカバー部材。
【発明の詳細な説明】
【技術分野】
【０００１】
この発明は、例えば排気マニホールドのような熱源に設置されるカバー部材に関する。
【背景技術】
【０００２】
例えば、昨今の排ガス規制などに対応して、自動車のエンジンから排出される排ガスの排出経路の途中には、排ガスの浄化機能を有する触媒が備えられ、排ガスに含まれる有害物質（炭化水素（ＨＣ）、一酸化炭素（ＣＯ）、窒素酸化物（ＮＯｘ）など）を無害物質（水（Ｈ２Ｏ）、二酸化炭素（ＣＯ２）、窒素（Ｎ２））に変化させている。この触媒の活性温度は、およそ２５０度以上であるため、浄化性能を発揮するためには、高温を生じるエンジンの始動後、すみやかに触媒の温度を高める必要がある。
【０００３】
このため、エンジンからの排ガスの排気熱（約９５０℃）を利用できるように、触媒を備えた触媒コンバータをエキゾーストマニホールド(以下、エキマニ)の直下部位に配置したり、カバー部材でエキマニを覆い排気熱の放出を遮ったりしている。
【０００４】
このように、放熱や吸熱によって、温度が変化し所望の性能が得られないといった問題に対して、例えば、特許文献１に開示されたカバー部材は、内面側にメッシュ部材を取付けた断熱材に外層部材を重ね合わせて構成しており、前記エキマニの周囲に前記メッシュ部材を当接させて囲繞することで、前記エキマニから外部へ放熱を遮ることができるとされている。これにより、前記エキマニを通過する排ガスからの放熱を抑制し、高温に保持した排ガスを触媒コンバータに送ることができ、エンジンの始動後から速やかに触媒の温度を上昇させることができるとされている。
【０００５】
しかしながら、前記エキマニの外側に設けられた断熱材は、過度の温度変化にさらされるため、内燃機関の稼働に伴って経時劣化して、所望の断熱効果を得ることができず、放熱や吸熱を遮ることができないおそれがあった。
【先行技術文献】
【特許文献】
【０００６】
【特許文献１】特開２０１１−１４９３３８号公報
【発明の概要】
【発明が解決しようとする課題】
【０００７】
この発明は、上記問題点に鑑み、断熱材を用いることなく熱源に対して遮熱できるカバー部材を提供することを目的とする。
【課題を解決するための手段】
【０００８】
この発明は、熱源の外周を覆うように固定される外層部材と、前記外層部材と前記熱源との間に設けられる内層部材とで構成され、前記外層部材と前記内層部材の間、及び、前記熱源と前記内層部材との間には、それぞれ閉じられた閉鎖空間が形成されるように構成されたカバー部材であることを特徴とする。
【０００９】
前記熱源は、熱を放出する温熱源のみならず、熱を吸収する冷熱源も含む。具体的には、車体のエンジンなどのように高温を生じる内燃機関や、冷蔵庫や冷凍庫などに設けられるような冷却装置の他、前記内燃機関や前記冷却装置から排出される熱媒体を導通させるための配管なども含む。すなわち、前記カバー部材で遮熱することによって保温するものをさす。
【００１０】
上述の熱源の外周を覆うように固定されるとは、熱源に直接固定する場合や、他の部材を介することによって前記熱源に対して相対的に固定する場合を含み、前記熱源の一部を覆う場合や、前記熱源の全体を囲繞する場合を含む。  
前記外層部材は、前記熱源あるいは前記内層部材に対して、直接的に又は他の部材を介して間接的に当接する場合を含む。
【００１１】
前記内層部材は、前記外層部材の内側に配置されていればどのような構成でもよく、例えば、前記外層部材と前記熱源との間に形成される閉鎖空間を区分けするように前記外層部材に組み付けられた構成や、前記熱源と当接して前記外層部材と前記熱源との間に形成される閉鎖空間の内部に独立した閉鎖空間を形成する構成などを含む。
【００１２】
上述の閉じられた閉鎖空間とは、外気への気体の流入出が抑制するように封止された空間や、密閉された空間などを含む。  
前記閉鎖空間の内部には、空気やアルゴン（Ａｒ）などの希ガス類のような安全で、安定性の高い気体を封入してもよい。
【００１３】
また、上述の前記熱源と前記内層部材との間には、それぞれ閉じられた閉鎖空間が形成されたとは、前記内層部材により一の又は複数の閉鎖空間が形成される場合を含み、また、前記内層部材と前記外層部材によって閉鎖空間が形成される場合や、前記内層部材と前記外層部材と別部材とが協働して閉鎖空間が形成される場合、前記別部材で閉鎖空間が形成される場合を含む。
【００１４】
この発明により、断熱材を用いることなく熱源に対して遮熱できる。  
詳述すると、前記熱源に固定された前記カバー部材は、前記内層部材と前記熱源、及び前記外層部材と前記内層部材との間にそれぞれ閉じられた閉鎖空間を形成するため、例えば前記外層部材の内部に封入されている空気が外部へ流入出することを抑制することができる。
【００１５】
また、前記外層部材と前記内層部材の間に設けた閉鎖空間（以後、内側閉鎖空間とする。）、及び、前記熱源と前記内層部材に設けた閉鎖空間（以後、外側閉鎖空間とする。）といったそれぞれ独立して閉じられた二つの閉鎖空間を設けることにより、熱抵抗を向上させることができ、前記熱源から外部に放出される又は外部から前記熱源に吸収される単位時間当たりの熱量を減少させることができる。
【００１６】
このように、前記カバー部材に閉鎖空間を設けることにより、前記熱源と外部との間の放熱又は吸熱による熱交換を防止できるため、前記カバー部材として断熱材を用いることなく、前記熱源の温度を維持することができる。
【００１７】
これにより、例えば高熱源である内燃機関の直下に配置した前記触媒コンバータなどに高温を保持した排ガスを送ることができるため、早期に触媒温度を高めて触媒活性を向上させることができ、効率よく排ガスに含まれる有害物質を無害物質に変化させることができる。
【００１８】
また、前記外層部材又は前記内層部材の一方が意図せずに損傷した場合であっても、他方側によって形成される閉鎖空間が残るため、前記熱源から外部への放熱又は外部から前記熱源への吸熱を遮ることができる。これにより、例えば、前記触媒コンバータなどに高温に保持された排ガスを送ることができ、有害物質が排出されることを防止できる。
【００１９】
この発明の態様として、前記外層部材は、前記熱源の全周を囲繞する構成としてもよい。  
この発明により、前記熱源から外部へと熱を放出する、又は外部から前記熱源への吸収する経路を塞ぐことができるため、前記熱源から放出される熱を遮ることができる。これにより、前記熱源の内部の温度を維持して、温度を高温に保つことができる。
【００２０】
またこの発明の態様として、前記外層部材と前記熱源とを、振動を緩衝する緩衝部材を介して当接させてもよい。  
この発明によると、前記熱源の稼働に起因する振動を前記緩衝部材が緩衝して振動を低減できるため、振動により前記外層部材が前記熱源から脱落することや前記外層部材や前記内層部材が損傷することを防止できる。
【００２１】
またこの発明の態様として、前記緩衝部材が、断熱性を有してもよい。  
この発明によると、前記熱源と前記外層部材との間での熱伝導の効率を減少させることができる、すなわち前記熱源と前記外層部材との間で伝導する熱量を減少させることができる。したがって、前記熱源内の温度をより確実に保持することができる。
【００２２】
またこの発明の態様として、前記内層部材を、凹凸形状が形成された金属板で構成してもよい。  
前記金属板は、高温耐性のある金属であればどのような金属板であればよく、例えばステンレス鋼製や鉄製などであってもよい。
【００２３】
前記凹凸形状は、前記熱源側は平坦であり前記外層部材側に凹凸形状が形成されている場合や、前記外層部材側が平坦であり前記熱源側に凹凸形状が形成されている場合、その両方側に凹凸形状が形成されている場合を含む。
【００２４】
この発明によると、前記内層部材の変形性が向上できるため、例えば熱源の形状に合わせて前記カバー部材を成形加工が容易且つ正確に行うことができる。これにより、前記閉鎖空間を確実に維持しながら前記カバー部材を変形させることができる。
【００２５】
また、前記内層部材を凹凸形状とすることで、前記内側閉鎖空間や前記外側閉鎖空間を互いに連通された又は互いに閉じられた複数の閉鎖空間に区分けすることができるため、前記閉鎖空間内での空気の導通性を低減することができる。
【００２６】
さらにまた、前記凹凸形状の凸部が前記外層部材と接触している場合には、前記内層部材で前記外層部材を支持することができるため、前記カバー部材の強度及び剛性を向上させることができる。
【発明の効果】
【００２７】
この発明により、断熱材を用いることなく熱源に対して遮熱できるカバー部材を提供することができる。
【図面の簡単な説明】
【００２８】
【図１】遮熱ヒートプロテクタの装着状態を示す概略正面図。
【図２】遮熱ヒートプロテクタの装着状態を示す概略側面図。
【図３】遮熱シートの概略斜視図。
【図４】遮熱シートの概略分解斜視図。
【図５】遮熱シートの平面図。
【図６】遮熱シートの断面図による説明図。
【図７】遮熱ヒートプロテクトの装着状態についての概略断面図。
【図８】遮熱ヒートプロテクトの装着状態についての説明図。
【００２９】
この発明の一実施形態を以下図面と共に説明する。  
なお、図１はカバー部材１の装着状態を示す概略正面図を示し、図２はカバー部材１の装着状態を示す概略側面図を示す。
【００３０】
図３は遮熱シート１０の概略斜視図を示し、図４は遮熱シート１０の概略分解斜視図を示し、図５は遮熱シート１０の平面図を示し、図６は遮熱シート１０の断面図による説明図を示す。図７はエキマニ１２０に装着した状態におけるカバー部材１の概略断面図を示し、図８はエキマニ１２０に装着した状態におけるカバー部材１説明図を示している。
【００３１】
なお、図３において、外層部材２０の一部を点線で示して透過状態を表し、外層部材２０に組み付けられたコルゲート成形材３０の構成を明確にしている。また図４においても同様の箇所を点線で示している。
【００３２】
図６及び図８について詳しく説明すると、図６（ａ）は図５におけるＡ−Ａ断面図を示し、図６（ｂ）は図５におけるＢ−Ｂ断面図を示し、図６（ｃ）は図５におけるＣ−Ｃ断面図を示し、図６（ｄ）は図５におけるＤ−Ｄ断面図を示しており、図８（ａ）は図７におけるＥ−Ｅ断面図を示し、図８（ｂ）は図８（ａ）におけるα部分の拡大図を示している。
【００３３】
この一実施形態におけるエンジンの排気装置１００は、エンジン１１０から排出された排ガスが導通される排気マニホールド１２０（エキマニ１２０）と、エキマニ１２０の下流側に直結された触媒コンバータ１３０（いわゆる、エキマニ直下型触媒コンバータ）とで構成されており、エキマニ１２０に対してカバー部材１が装着されている。  
【００３４】
なお、エキマニ１２０に装着されているカバー部材１の具体的形状は、装着対象であるエキマニ１２０等の形状や設置箇所、周辺の構造によって相違するものの、基本的な構成は同じである。
【００３５】
カバー部材１について図１及び図２に基づいて詳述すると、カバー部材１は、エキマニ１２０の形状に合わせて成形した２枚の遮熱シート１０を、上下方向からエキマニ１２０を挟み込んで覆うように設置し、２枚の遮熱シート１０同士を固定することでエキマニ１２０に装着されている。
【００３６】
このカバー部材１の上流側端部は、エンジン１１０と接合するエキマニ１２０のフランジ１２１から延びるエキマニ配管１２２と当接され、カバー部材１の下流側端部は触媒コンバータ１３０と連結する側のエキマニ配管１２２と当接されている。
【００３７】
このように装着されたカバー部材１は、エンジン１１０とエキマニ１２０との接合部分、すなわちフランジ１２１の直下からエキマニ１２０と触媒コンバータ１３０の連結部分までを周方向にわたって囲繞している。
【００３８】
また、エキマニ１２０とカバー部材１との間には内部には空気が封入された閉鎖空間Ｖが形成されており、空気が外部へ略流入出しないように構成されている。  
なお、本実施形態において、閉鎖空間Ｖには空気が封入されているが、空気である必要はなく、安全で安定性の高い気体を封入してもよく、また真空としてもよい。
【００３９】
次に、カバー部材１を形成する遮熱シート１０について、図３乃至図６に基づいて説明する。なお、図３乃至図６においては、遮熱シート１０の構造を明確にするために、遮熱シート１０を平板状に形成されたものとするが、実際は設置個所の形状に合わせて成形する。  
遮熱シート１０は、図３及び図４に示すように、上部に設けられた外層部材２０に対して下方からコルゲート成形材３０を組み付けて構成されている。
【００４０】
外層部材に対応する外層部材２０は、可撓性のあるステンレス鋼製のステンレス箔材で構成された板材であり、天板２１と、天板２１の各端辺から下方に所定の長さ延ばした側壁２２と、側壁２２の下端部から外方に突出した突出部２３とで構成され、突出部２３の下端面には緩衝部材５０が備えられている。
【００４１】
なお、側壁２２の高さ及び突出部２３の突出量は、装着部位の形状や周辺構造などに応じて適宜設計される。  
また、側壁２２は天板２１の四方向の端部から下方に延ばしているが、必ずしも四方向全てから下方に延ばす必要はなく、平面方向に直交する第１方向ｘ又は第２方向ｙの両端部から下方に延ばす構成としてもよい。
【００４２】
突出部２３に備えられた緩衝部材５０は、ガラスウールやロックウールのように断熱材として周知な無機繊維系のものを振動が吸収可能な厚さとなるように織り込んで形成されている。この厚みは、設置する場所や所望の振動吸収の度合、配置箇所の熱伝導率などに応じて適宜設計される。
【００４３】
内層部材に対応するコルゲート成形材３０は、３０４ステンレス鋼製のステンレス箔材に対して、第１方向ｘと第２方向ｙに延びる凹凸の波付け加工が施され、第１方向ｘと第２方向ｙに延びる凹凸によって構成されるコルゲート形状が形成された成形材である。
【００４４】
コルゲート成形材３０に形成されたコルゲート形状について詳述すると、第１方向ｘに沿って形成される凹状の谷部３１と凸状の山部３２とが第２方向ｙに沿って交互に配置されるとともに、第１方向ｘに沿って形成された谷部３１及び山部３２に、第１方向ｘに沿って交互に凸状部３３と凹状部３４とが交互に配置されてコルゲート形状が構成されている（図４乃至図６参照）。  
【００４５】
凸状部３３は波形の波凸部で形成されており、凹状部３４は波形の波凹部で形成されている。この山部３２における凸状部３３の第２方向ｙの幅が最も狭く、且つ凹状部３４の第２方向ｙの幅が最も広くなる連続形状で形成されており、また、谷部３１における凹状部３４の第２方向ｙの幅が最も狭く、且つ凸状部３３の第２方向ｙの幅が最も広くなる連続形状で形成されている（図６参照）。
【００４６】
なお、凸状部３３と凹状部３４との高さの差は、側壁２２の高さと略同一に構成されている。
【００４７】
谷部３１には谷底面３１ａが形成され、山部３２には山上面３２ａが形成され、谷底面３１ａと山上面３２ａとを連結する連結側面４０が形成されている。換言すると、第２方向ｙの断面において、谷部３１は谷底面３１ａと第２方向ｙ両側に形成された連結側面４０とで略角型凹状に形成されており、山部３２は山上面３２ａと第２方向ｙ両側に形成される連結側面４０とで略角型逆凹状に形成されている。また、第２方向ｙの断面において、連結側面４０が山上面３２ａまたは谷底面３１ａとなす角度は８０°〜１００°の範囲の略９０°で形成されている。  
なお、この連結側面４０と、山上面３２ａまたは谷底面３１ａとがなす角度は必ずしも８０〜１００度である必要はなく、例えば、山上面３２ａまたは谷底面３１ａとがなす角度が鋭角となるように適宜変更してもよい。
【００４８】
このように構成されたコルゲート成形材３０を、天板２１と同面積の平面矩形状となるようにして、外層部材２０に嵌合させるとともに、コルゲート成形材３０の端部と突出部２３の内側端部とを溶接して一体化させることにより、遮熱シート１０が形成される。  
なお、外層部材２０とコルゲート成形材３０は溶接により一体化させているが、必ずしもこの方法で一体化する必要はなく、例えばボルトなどを用いて固定しても構わない。
【００４９】
この遮熱シート１０は、図６に示すように、谷部３１の凹状部３４が突出部２３に設けられた緩衝部材５０の底面側と略面一になるとともに、山部３２の凸状部３３が天板２１と当接している。
【００５０】
このように構成される遮熱シート１０は、上述のように、エキマニ１２０や触媒コンバータ１３０などの対象部材の形状に応じて立体形状に成形（プレス加工）されカバー部材１を構成し、エキマニ１２０や触媒コンバータ１３０に組み付けることができる。  
なお、成型された外層部材２０とコルゲート成形材３０とを組み合わせて遮熱シート１０を形成してもよいし、遮熱シート１０を変形加工してもよい。
【００５１】
以下、プレス加工したカバー部材１をエキマニ１２０に組み付けた状態について、図７及び図８に基づいて説明する。  
ここで、図７及び図８では、説明を簡略化するために、エキマニ１２０を円環状の管体とし、エキマニ１２０の内部を導通する排ガスの流れる方向を導通方向Ｄとする。また、遮熱シート１０の第２方向ｙを導通方向Ｄと一致させるとともに、図８中の横方向が第１方向ｘとする。
【００５２】
まず、カバー部材１の製造方法について簡単に説明する。  
適当な大きさのコルゲート成形材３０を２枚用意し、コルゲート成形材３０において隣接する凹状部３４の頂点に沿う面がエキマニ配管１２２の外径と同一になるように屈曲させて半円状にプレス加工して成形する。
【００５３】
同様に、コルゲート成形材３０よりも一回り大きな外層部材２０を２枚用意し、天板２１がコルゲート成形材３０の凸状部３３の頂点沿う面が形成する半円の外径と同一となるように外層部材２０を屈曲させて半円状にプレス加工して成形する。  
なお、この場合の外層部材２０は、天板２１の第２方向ｙの両端部のみに側壁２２が設けられているものとする。
【００５４】
このようにプレス加工された外層部材２０に対してコルゲート成形材３０を下方から嵌め込んで、溶接するとともに、を断面視半円状の遮熱シート１０を形成する。第１方向ｘにおいて両端側に余った天板２１（以下、天板端部２１ａとする）を、円弧の径外方向に向けて突出するように成形する。
【００５５】
そして、それぞれ成形された遮熱シート１０を上下方向からエキマニ配管１２２を挟み込むようして設置して（図８参照）、上方の遮熱シート１０に設けられた天板端部２１ａ（天板端部２１ａｕ）で、下方の遮熱シート１０に設けられた天板端部２１ａ（天板端部２１ａｄ）をくるむように折り返して、上下方向から天板端部２１ａ同士をかしめることで遮熱シート１０同士を固定するとともに、エキマニ配管１２２に対して固定する。この状態において遮熱シート１０における第２方向ｙは、導通方向Ｄに沿っている。
【００５６】
なお、本実施形態では、説明を簡易にするために遮熱シート１０の第２方向ｙと導通方向Ｄを一致させるとともに、図８中の横方向が第１方向ｘとなるように遮熱シート１０を配置して成形しているが、例えば、導通方向Ｄと第１方向ｘと一致するように遮熱シート１０を配置してもよいし、また、導通方向Ｄが第１方向ｘと交差する方向に沿うように遮熱シート１０を配置してもよい。換言すると、成形加工された遮熱シート１０はコルゲート成形材３０の凹状部３４及び凸状部３３が特定の方向に沿うよう成形されたものである必要はない。
【００５７】
また、本実施形態では、一方の外層部材２０の一部分（天板端部２１ａｕ）が他方の外層部材２０の一部分（天板端部２１ａｄ）をくるむように折り返してかしめることで遮熱シート１０同士を固定する構成としているが、遮熱シート１０同士を固定する方法はこの構成に限定されず、例えば外層部材２０同士をボルトやクリップで固定し、又は外層部材２０同士を溶接することで固定してもよい。
【００５８】
このようにエキマニ配管１２２に組み付けられたカバー部材１は、遮熱シート１０の端部に備えられた緩衝部材５０がエキマニ配管１２２の上流側（フランジ１２１の直下部位）及びエキマニ配管１２２の下流側（触媒コンバータ１３０の近辺）と当接しており、外層部材２０とエキマニ配管１２２との間には、内部に空気が流入出することが妨げられた閉鎖空間Ｖが形成されている。
【００５９】
また、上述のようにコルゲート成形材３０を構成する凸状部３３が天板２１と当接しているとともに、コルゲート成形材３０を構成する凹状部３４がエキマニ配管１２２と当接するため、閉鎖空間Ｖは外層部材２０とコルゲート成形材３０とで形成される複数の第一閉鎖空間Ｖ１と、外層部材２０とエキマニ配管１２２とで形成される複数の第二閉鎖空間Ｖ２とに区分けされている。
【００６０】
この複数の第一閉鎖空間Ｖ１及び第二閉鎖空間Ｖ２は、それぞれが他の第一閉鎖空間Ｖ１及び第二閉鎖空間Ｖ２など独立した閉じられた閉鎖空間を形成しているため、互いに空気の流入出が抑制されている。このため、閉鎖空間Ｖ内での空気の対流を防止できる。
【００６１】
また、第一閉鎖空間Ｖ１及び第二閉鎖空間Ｖ２が複数形成されているため、例えば、第一閉鎖空間Ｖ１の一部分が破損しても、他の第一閉鎖空間Ｖ１は閉鎖された空間を維持することができるため、意図せずに損傷した場合であっても、エキマニ配管１２２の放熱を妨げることができる。
【００６２】
このように構成されたカバー部材１は、エンジン１１０から排出された排ガスを導通し、放熱するエキマニ配管１２２の外周を囲繞するように固定される外層部材２０と、外層部材２０とエキマニ配管１２２との間に設けられるコルゲート成形材３０とで構成され、外層部材２０とコルゲート成形材３０の間、及び、エキマニ配管１２２とコルゲート成形材３０との間には、それぞれ閉じられた第一閉鎖空間Ｖ１及び第二閉鎖空間Ｖ２が形成されるため、断熱材を用いることなくエキマニ配管１２２から放熱されることを遮ることができる。
【００６３】
詳述すると、エキマニ配管１２２に固定されたカバー部材１は、下方に配置された遮熱シート１０の天板端部２１ａｄを、上方に配置した遮熱シート１０の天板端部２１ａｕでくるむように折り返してかしめることで、コルゲート成形材３０とエキマニ配管１２２、及び外層部材２０とコルゲート成形材３０との間にそれぞれ閉じられた第一閉鎖空間Ｖ１及び第二閉鎖空間Ｖ２が形成される。このため、第一閉鎖空間Ｖ１及び第二閉鎖空間Ｖ２に封入した空気が２１ａ同士の間から、カバー部材１の外部に排出されることを防止できる。
【００６４】
また、閉鎖空間Ｖを第一閉鎖空間Ｖ１と第二閉鎖空間Ｖ２とで区分けすることにより、カバー部材１の熱抵抗を向上させることができるため、エキマニ配管１２２から外層部材２０へ伝わる単位時間あたりの熱量を減少させることができる。すなわち、エキマニ配管１２２から外部に放出される単位時間当たりの熱量を減少させることができる。したがって、エキマニ配管１２２の内部に蓄積された熱を保持することができ、高温を保持した排ガスを触媒コンバータ１３０に送ることができる。
【００６５】
このように、カバー部材１に空気層である第一閉鎖空間Ｖ１及び第二閉鎖空間Ｖ２を形成することで熱抵抗を向上させることができ、エキマニ配管１２２から外部に放出される熱量を減少させることができる。したがって、カバー部材１の内部に断熱材を用いることなく、エンジン１１０から排気された排ガスの熱がエキマニ配管１２２から放熱されることを遮ることができる。これにより、エキマニ配管１２２の下流側にある触媒コンバータ１３０などに高温を保持した排ガスを送ることができ、効率よく排ガスに含まれる有害物質を無害物質に変化させることができる。
【００６６】
また近年、燃費を向上させるために理想空燃比よりもガソリンの濃度を薄くした希薄空燃比でガソリンを燃焼（希薄燃焼）させることがあるが、この希薄燃焼は、理論空燃比で燃焼するストイキオメトリ燃焼に比べて有毒ガスである窒素酸化物（ＮＯｘ）などが発生しやすい。そのため、触媒コンバータ１３０に備えた触媒が十分に活性する温度となったときに、有毒ガスの排出を極力低減できるストイキオメトリ燃焼から希薄燃焼に切り替えている。
【００６７】
本実施形態では、カバー部材１でエキマニ配管１２２を囲繞することにより、エキマニ配管１２２からの放熱を遮れるため、エキマニ配管１２２を流れる排ガスを高温で保持できる。これにより、高温に保持された排ガスを触媒コンバータ１３０に送ることができ、効率よく触媒の温度を上昇させることができる。したがって、早期にストイキオメトリ燃焼から希薄空燃比に移行して、燃費を向上させることができる。
【００６８】
また、例えば外層部材２０が意図せずに損傷した場合であっても、コルゲート成形材３０がエキマニ配管１２２からの放熱を遮ることができるため、触媒コンバータ１３０などに高温を保持した排ガスを送りことができ、有害物質を排出することを防止できる。
【００６９】
さらにまた、カバー部材１をエキマニ配管１２２に固定させた場合には、エンジン１１０の振動による影響を減少でき、振動に起因するカバー部材１の脱落及び損傷を防止できる。したがって、触媒コンバータ１３０などに高温を保持した排ガスを確実に送ることができ、触媒の活性効率を向上させることができ、有害物質を排出することを防止できる。
【００７０】
また、外層部材２０が、エキマニ配管１２２の全周を囲繞することにより、エキマニ配管１２２から外部へ放熱する部位を減少させることができるため、エキマニ配管１２２からの熱の放出量を減少させることができる。これにより、排ガスの温度を高温に保つことができ、触媒コンバータ１３０などに備えた触媒の活性効率を向上させることができる。
【００７１】
さらにまた、外層部材２０とエキマニ配管１２２とが、振動を吸収可能な緩衝部材５０を介して当接されていることにより、エンジン１１０の稼働に起因する振動などを緩衝部材５０で緩衝して、外層部材２０がエキマニ配管１２２から脱落することや外層部材２０やコルゲート成形材３０が振動により損傷することを防止できる。
【００７２】
加えて、エキマニ配管１２２及び外層部材２０と接触しているコルゲート成形材３０は第１方向ｘと第２方向ｙに延びる凹凸の波付け加工が施されているため、凹凸方向に対する弾性を有しており、エンジン１１０の振動を吸収できるとともに、音の原因となる空気振動も吸収することができるため、遮音効果も有する。
【００７３】
さらにまた、緩衝部材５０が断熱性を有しているため、エキマニ配管１２２から外層部材２０への熱伝導の効率を減少させることができ、エキマニ配管１２２を導通する排ガスから放出される熱が外層部材２０へ熱伝導することを遮ることができる。したがって、エキマニ配管１２２の下流側に配置された触媒コンバータ１３０に高温を保持した排ガスを送ることができ、触媒コンバータ１３０などに備えた触媒の活性効率を向上させることができる。
【００７４】
なお、本実施形態のように、外層部材２０ａを重ね合わせて固定させてカバー部材１を形成する場合、外層部材２０ａの接触部分に緩衝部材５０を取付けて固定してもよいし、緩衝部材５０を外して固定しでもよい。緩衝部材５０を取付けて２枚の遮熱シート１０をボルト固定する場合、緩衝部材５０同士を重ね合すこととなるため、一方の遮熱シート１０から他方の遮熱シート１０への熱の伝導をより妨げることができる。
【００７５】
さらにまた、コルゲート成形材３０が、凹凸形状が形成された金属板（３０４ステンレス鋼製のステンレス箔材）で構成されることにより、コルゲート成形材３０の変形性を向上させることができる。このためエキマニ配管１２２などの形状に合わせてカバー部材１を成形加工（プレス加工）した場合に、第一閉鎖空間Ｖ１や第二閉鎖空間Ｖ２を閉じられた空間として維持しながら変形させることができる。
【００７６】
また、コルゲート成形材３０を凹凸形状とすることで、第一閉鎖空間Ｖ１及び第二閉鎖空間Ｖ２に区分けすることができるため、第一閉鎖空間Ｖ１及び第二閉鎖空間Ｖ２の内部での空気の導通性を低減することができる。したがって、カバー部材１を構成する外層部材２０やコルゲート成形材３０が損傷した場合であっても、内部に封入した空気が漏れ出ることを防止できるため、エキマニ配管１２２から放熱する熱量を減少させることができる。
【００７７】
さらにまた、凹凸形状の凸部が外層部材２０と接触している場合には、コルゲート成形材３０で外層部材２０を支持することができるため、カバー部材１の強度及び剛性を向上させることができる。
【００７８】
このような構成を有するカバー部材１を用いて、熱源である発熱体の温度に対する外層部材２０及びエキマニ配管１２２の表面温度を、外層部材２０とエキマニ配管１２２との間に断熱部材を挟み込んだ遮熱ヒートプロテクタと比較して確認したところ、外層部材２０及びエキマニ配管１２２の温度はともに差がなかった。また、エキマニ配管１２２の立ち上がり時間も共に差がなかったことが確認できた。  
このことから、カバー部材１は従来のような断熱部材を用いた遮熱ヒートプロテクタと性能としては差異がない。
【００７９】
この発明の構成と、上述の実施形態との対応において、
この発明の熱源は、エキマニ配管１２２に対応し、以下同様に、
カバー部材は、カバー部材１に対応し、
外層部材は、外層部材２０に対応し、
内層部材は、コルゲート成形材３０に対応するが、
この発明は、上述の実施形態の構成のみに限定されるものではなく、多くの実施の形態を得ることができる。
【００８０】
例えば、本実施形態では、カバー部材１はエキマニ配管１２２のみを囲繞する構成としたが、この構成に限らず、例えば、エキマニ配管１２２の一部を覆う構成や、エンジン１１０の全部又は一部を含めたエキマニ配管１２２の全部又は一部を覆うあるいは囲繞する構成であってもよい。
【００８１】
さらには、エキマニ配管１２２のみならず、エキマニ配管１２２の下流側に配置された触媒コンバータ１３０の一部又は全部も囲繞する構成や、触媒コンバータ１３０の下流側に配置された床下コンバータやマフラーなどを囲繞してもよいし、これらの触媒コンバータを繋ぐ配管など囲繞するとしてもよい。
【００８２】
さらに言えば、本実施形態においてカバー部材１は高温を生じる放熱体を囲繞しているが、例えば冷却用ガスなどを通す配管や、冷却装置を囲繞し、配管などの内部への吸熱を防止するのにも使用することができる。
【００８３】
すなわち、カバー部材１で覆う部位は、覆う箇所からの放熱や吸熱を防止したい箇所であれば、どのような場所であっても構わず、その保温目的も触媒の活性させることに限定されず、例えば配管などを導通する熱媒体の放熱や吸熱による熱媒体の温度変化を抑えて他の場所に熱媒体を移動させることを目的としてもよい。
【００８４】
また例えば、外層部材２０は、緩衝部材５０を介してエキマニ配管１２２に当接されているが、例えばエキマニ配管１２２に対して、直接的当接させてもよい。  
またコルゲート成形材３０は、閉鎖空間Ｖを２以上の閉じられた空間に区分けする構成であればどのような構成でもよく、例えば、外層部材２０とエキマニ配管１２２との間に形成される閉鎖空間Ｖを区分けするようにエキマニ配管１２２と当接した外層部材２０に組み付けられた構成や、第一閉鎖空間Ｖ１を形成するようにエキマニ配管１２２と当接した一または複数の筐体で構成された場合を含む。  
また、コルゲート成形材３０の代わりに所定の間隔を隔てたフラットな板材を用いてもよい。
【００８５】
また、外層部材２０やコルゲート成形材３０をステンレス鋼製のステンレス箔材で構成しているが、ステンレス鋼製である必要はなく、高温耐性のある金属であればどのような金属でもよく、例えば鉄製などであってもよい。
【符号の説明】
【００８６】
１      遮熱ヒートプロテクタ
２０    アルミ板
３０    コルゲート成形材
５０    緩衝部材
１２２  エキマニ配管
Ｖ      閉鎖空間
【図１】
2018178765.tif 000003
【図２】
2018178765.tif 000004
【図３】
2018178765.tif 000005
【図４】
2018178765.tif 000006
【図５】
2018178765.tif 000007
【図６】
2018178765.tif 000008
【図７】
2018178765.tif 000009
【図８】
2018178765.tif 000010